【事件の表示】
　特願２０１０−１９６１２０「被験者の生理学的特性および運動パフォーマンス特性をモニタリングするための方法およびシステム」拒絶査定不服審判事件〔平成２３年　６月２３日出願公開、特開２０１１−１２０８７１〕について、次のとおり審決する。
【結　論】
　本件審判の請求は、成り立たない。
【理　由】
第１　手続の経緯
　本願は、平成２２年９月１日（パリ条約による優先権主張　２００９年９月１日（ＵＳ)米国、２０１０年８月２６日（ＵＳ）米国）を出願日とする出願であって、平成２６年５月８日付けで拒絶の理由が通知され、これに対して、同年７月１０日に意見書及び手続補正書が提出され、同年１２月１０日付けで最後の拒絶理由が通知され、これに対して、同年３月１３日に意見書及び手続補正書が提出されたが、同年８月１７日付けで同年３月１３日付けの手続補正について却下の決定がなされ、同日付で拒絶査定がなされた。
　これに対して、平成２７年１２月２４日に拒絶査定不服審判の請求がなされ、同時に手続補正書が提出されたものである。 
第２　平成２７年１２月２４日にされた手続補正についての補正の却下の決定 
［補正の却下の決定の結論］
　平成２７年１２月２４日にされた手続補正（以下「本件補正」という。）を却下する。
［補正の却下の決定の理由］  
１　本件補正の内容について 
（１）本件補正は、特許請求の範囲の請求項１の記載を次のとおりに補正する補正事項をその一部に含むものである。 
ア　本件補正前の特許請求の範囲の請求項１の記載 
「【請求項１】
　身体活動に従事する被験者をモニタリングするためのフィットネスモニタリングシステムであって：
　第１センサおよび第２センサを含むセンササブシステムであって、該第１および第２センサは、その間の距離の変化に反応し、該センササブシステムは、該第１および第２センサの間の距離を示す距離シグナルを生成および送信するように構成された、センササブシステムであって、胸郭の変位、腹部の変位および胸壁の軸方向の変位を決定するセンササブシステムと；
　被験者の生理学的パラメータを示す生理学的シグナルを生成および送信するように構成された生理学的センサと；
　該センササブシステムおよび該生理学的センサと接続し、距離シグナルおよび生理学的シグナルを受信するように構成されたプロセッササブシステムであって、該プロセッササブシステムは、生理学的シグナルを処理して被験者の生理学的パラメータを示すシグナルを得るように構成された、プロセッササブシステムと、
　を含む、フィットネスモニタリングシステム。」 
  
イ　本件補正後の特許請求の範囲の請求項１の記載 
「【請求項１】
　身体活動に従事する被験者をモニタリングするためのフィットネスモニタリングシステムであって：
　
音声センサ、
高さ
　被験者の生理学的パラメータを示す生理学的シグナルを生成および送信するように構成された生理学的センサと；
　該センササブシステムおよび該生理学的センサと接続し、
音声シグナル、
　を含む、フィットネスモニタリングシステム。」（下線は、本件補正による補正箇所を示す。） 
（２）本件補正の目的について 
ア　目的外補正について
　上記請求項１の本件補正によって追加された「音声センサ」は、本件補正前の特許請求の範囲に記載された発明の発明特定事項（例えば、センササブシステム、生理学的センサ等）のいずれを概念的に下位にしたものともいえないから、発明特定事項の限定といえない。
　ここで、本件補正前の「センササブシステム」は、「第１センサおよび第２センサ」によって「距離シグナル」を取得して、「変位」を決定するものであったが、本件補正後に追加された「音声センサ」は、「音声シグナル」を取得するものであって、当該距離シグナルの取得及び変位の決定という技術事項を概念的に下位にするものとはいえない。
　また、発明の詳細な説明を参酌すると、本件補正前の発明の解決しようとする課題は、生理学的特性の正確でリアルタイムな決定であったのに対し、本件補正後の発明の解決しようとする課題は、呼吸に関連する事象の話す、咳をする等との関係の正確な評価であるものと認められるから、本件補正後の課題は、本件補正前の課題を概念的に下位にしたものでも、同種のものでもないなど、本件補正前後の課題は技術的に密接に関連しているとはいえない。したがって、本件補正前後の発明の解決しようとする課題は同一ではない。
　したがって、上記請求項１の本件補正は、特許法第１７条の２第５項第２号に規定する特許請求の範囲の減縮を目的とするものに該当しない。
　また、当該請求項１の本件補正は、請求項の削除、誤記の訂正、明りょうでない記載の釈明のいずれの事項を目的とするものにも該当しない。 
　よって、本件補正は、特許法第１７条の２第５項の各号に掲げるいずれの事項を目的とするものにも該当しないものを含む。 
　したがって、本件補正は、特許法第１７条の２第５項に規定する要件を満たしていないものであるから、同法第１５９条第１項の規定において読み替えて準用する同法第５３条第１項の規定により却下されるべきものである。
イ　ここで、上記請求項１についての補正事項を、「センササブシステム」について、「音声センサ」を含むことに限定するものであり、かつ、「プロセッササブシステム」について、「音声シグナル」を受信することを含むことに限定するものと解釈し、本件補正が特許法第１７条の２第５項第２号に規定する特許請求の範囲の減縮を目的とするものとして、本件補正後の請求項１に記載された発明（以下「本件補正発明」という。）が特許出願の際に独立して特許を受けることができるものであるか（同法同条第６項において準用する同法第１２６条第７項の規定に適合するか否か）についても、一応、以下で検討する。
２　独立特許要件についての検討
（１）本件補正発明
　本件補正発明は、上記１（１）イにおいて摘示したとおりの発明特定事項により特定されるものである。 
  
（２）引用例の記載事項、及び引用例に記載された発明
　本願の優先日前に頒布された刊行物である、特開２００６−３４５９７３号公報（以下「引用例１」という。）、特表２００７−５２１８５２号公報（以下「引用例２」という。）、国際公開第２００１／０２８４２０号（以下「引用例３」という。）、特表２００７−５２５２３６号公報（以下「引用例４」という。）には、図面とともに、次の記載がある（下線は、参考のために当審で付与した。）。
　ここで、引用例１〜３は、原査定の理由で引用された刊行物であり、引用例４は、上記本件補正で追加された補正箇所に対応する技術的事項が周知技術であることを示すために当審で追加した刊行物である。
ア　引用例１の記載事項
（ア）「【０００１】
　本発明は、メディカル・オートフィットネス・システムに関し、さらに詳しくは、運動療法に通じた医師が特定のトレーニー(trainee) を個別的に診断して必要とされる運動の種類や負荷値、運動量を処方し、これを具体的なフィットネス機器(fitness machine) の制御信号として所定の記憶装置に電磁記録して、この電磁記憶装置によって指定された
フィットネス機器を電子的に駆動制御することにより個々のトレーニーに安全かつ適切に処方運動量を実行消化させることをできるようにした合理的な健康増進システムに関するものである。」
（イ）「【００１４】
　即ち、本発明は、
特定トレーニーＴに対し医師Ｄの診断処方した運動種類、運動負荷値など当該トレーニーＴが運動量を実行消化するために必要な運動処方データがフィットネス機器制御信号として記録されているコンパクト記録媒体１と；この記録媒体１に記録された特定トレーニーの制御信号を読み取るリーダ手段２と；このリーダ手段２が読み取った制御信号の入力により駆動して、当該トレーニーＴに対する制御信号に応じた負荷値にて指定種類の運動を所定の時間分だけ実行支援する少なくとも一種類のフィットネス機器３と；この運動中のトレーニーＴの呼吸数、心拍数、血圧値、心筋電圧のごとき生理的変動量を計測する電子測定器４と；この電子測定器４の出力する測定値を受信して記録するとともに、当該測定値が正常範囲を超えたとき前記フィットネス機器の停止信号を発する制御コンピュータ５とを基本的な要素として採用し
メディカル・オートフィットネス・システム
（ウ）「【００２１】
　〔実施例１〕
　図１〜図３において、符号１にて指示するものはＩＣカード形式のコンパクト記録媒体である。このＩＣカード（記録媒体）１には、図２に示されるように、医師Ｄの健康診断を通じて処方された運動の種類や運動負荷値など特定トレーニーＴが実行消化すべき運動項目（例えば、トレッドミル運動など）や運動量（トレッドミル機を使用する場合には、ベルトコンベアの傾斜度、歩行又はランニングの時速、および時間など）がフィットネス機器制御信号として電磁記録されている。
【００２２】
　また、図面上、符号２で指示するものは、上記ＩＣカード形式のコンパクト記録媒体１に記録されているフィットネス制御信号を読み込んで後述の制御コンピュータに送致するリーダ手段２としての周知のＩＣカード・リーダ・ライタである。
【００２３】
　一方、符号３で指示するものは、サーボモータ、ディジタルモータ、ロータリエンコーダ、ボールネジ機構など周知の制御系機構部品が組み込んで構成したフイットネス機器である。本実施例では速度および勾配を上記ＩＣカード１の制御信号による制御の下に循環運動するベルトコンベア上を歩行、ランニングできるように構成されたトレッドミル3a、足の屈伸を支援するレッグ・カール3b、胸・肩・腕の筋肉の鍛練運動を支援するチェストプレス3c・…その他3nなど複数種類のフィットネス機器がｎ台（ｎは整数）配列されている。そして、これらフィットネス機器３（3a・3b・3c・…3n） は後述の制御コンピュータ５に電気的に連繋されて一定の制御関係の下にある。
【００２４】
　符号
４
電子測定器
上膊部に巻き付けて心拍数と血圧を測定する電子心拍・血圧計４
1
、横隔膜の位置する胸部に取り付けて圧電センサーにより呼吸数を測定する電子呼吸計測器４
2
、心臓の位置する胸部に取り付けて心筋電圧の変化を経時的に電子マイクロ心電計４
3
用い
【００２５】
　符号５にて指示するものは、前述のリーダ手段２、フィットネス機器３、およびＬＡＮを介し電子測定器４に通信可能に連繋されたＣＰＵ、メモリー、通信機能、データ処理能力、データ検索プログラムを備えたオフコン・クラスの制御コンピュータである。即ち、この制御コンピュータ５はリーダ手段２の読み取ったコンパクト記録媒体（ＩＣカード）の制御信号を指定されたフィットネス機器３（例えば、トレッドミル3a）に送致して、このフィットネス機器3aを指定の負荷値（トレッドミル・コンベアの傾斜度、歩行又はランニングの時速、および時間など）にセットする。当該フィットネス機器はトレーニーＴが乗載してスタートさせると指定通りに駆動することになる。そして、この
トレーニーＴの運動中の呼吸数、心拍数、血圧値、心筋電圧など生理的変動量の変化は、トレーニーＴの装着している電子測定器４が電子信号として検出し、ＬＡＮを介し制御コンピュータ５に送信される
【００２６】
　また、図１中に符号７にて指示されるものは、常連トレーニーＴに交付される携帯端末器７である。この携帯端末器７は、制御コンピュータ５への情報交信を可能にするプログラムを搭載した実質的に携帯電話機である。他方、制御コンピュータ５には、各フィットネス機器の空き時間、予約時間、使用時間などを管理する予約プログラムが格納されており、常連トレーニーＴから携帯端末器７を介し制御コンピュータ５に使用希望のフィットネス機器３に対し使用時間の予約連絡が入ったとき、予約対象のフィットネス機器３（３ａ・３ｂ・…3n）の空き時間を自動検索して受諾可能な場合に受付け予約して爾後の該当機器の予約および使用を予約連絡を拒絶することになる。
【００２７】
　さらに、図１中に符号８にて指示するものはオーディオ機器である。このオーディオ機器８は、カセットテープやコンパクトディスクなどに録音した音楽、声援、掛声、講義、講演など鼓舞・学習音声や音楽・講談・落語などの娯楽音声を再生し運動中のトレーニーＴに聞かせることによって時間の有効活用を増進したり、あるいは図示しない記憶部に予め所定の案内メッセージを記憶させておいてリーダ手段２にトレーニーＴのＩＣカード１が反応したときに運動開始の案内メッセージをアナウンスして該当するフィットネス機器３（例えば、３ａ）への案内指示をしたり、一つのフィットネス機器３による運動実行が終了したときは順次処方指定された種類のフィットネス機器３（例えば、３ｂ）への案内指示をしたりする。」
 
（エ）「【００３６】
　他方、
上記のフィットネス機器３による運動中にトレーニーＴの血圧や心筋電圧などに異常が生じたときには電子測定器４が血圧値、心筋電圧値、心拍数値の変化を即時に検出し制御コンピュータ５に送致して、駆動中のフィットネス機器３を直ちに停止するとともに、パイロットランプＰを点滅させて係員に報知する
（オ）図３には、以下の図面が記載されている。
イ　引用例１に記載された発明の認定 
　上記ア（ア）〜（オ）の記載を総合すると、引用例１には、次の発明（以下「引用発明１」という。）が記載されていると認められる。
　ここで、上記ア（ウ）の段落【００２４】の「心臓の位置する胸部に取り付けて心筋電圧の変化を経時的に電子マイクロ心電計４3」との記載は、その直前の「上膊部に巻き付けて心拍数と血圧を
測定する
測定する
測定する
「特定トレーニーＴに対し医師Ｄの診断処方した運動種類、運動負荷値など当該トレーニーＴが運動量を実行消化するために必要な運動処方データがフィットネス機器制御信号として記録されているコンパクト記録媒体１と；この記録媒体１に記録された特定トレーニーの制御信号を読み取るリーダ手段２と；このリーダ手段２が読み取った制御信号の入力により駆動して、当該トレーニーＴに対する制御信号に応じた負荷値にて指定種類の運動を所定の時間分だけ実行支援する少なくとも一種類のフィットネス機器３と；この運動中のトレーニーＴの呼吸数、心拍数、血圧値、心筋電圧のごとき生理的変動量を計測する電子測定器４と；この電子測定器４の出力する測定値を受信して記録するとともに、当該測定値が正常範囲を超えたとき前記フィットネス機器の停止信号を発する制御コンピュータ５とを基本的な要素として採用したメディカル・オートフィットネス・システムであって、
　電子測定器４は、上膊部に巻き付けて心拍数と血圧を測定する電子心拍・血圧計４1、横隔膜の位置する胸部に取り付けて圧電センサーにより呼吸数を測定する電子呼吸計測器４2、心臓の位置する胸部に取り付けて心筋電圧の変化を経時的に測定する電子マイクロ心電計４3を用いるものであり、
　トレーニーＴの運動中の呼吸数、心拍数、血圧値、心筋電圧など生理的変動量の変化は、トレーニーＴの装着している電子測定器４が電子信号として検出し、ＬＡＮを介し制御コンピュータ５に送信されるものであり、
　上記のフィットネス機器３による運動中にトレーニーＴの血圧や心筋電圧などに異常が生じたときには電子測定器４が血圧値、心筋電圧値、心拍数値の変化を即時に検出し制御コンピュータ５に送致して、駆動中のフィットネス機器３を直ちに停止するとともに、パイロットランプＰを点滅させて係員に報知するものである、
　メディカル・オートフィットネス・システム。」
ウ  引用例２の記載事項
（ア）「【０００２】
　本発明は、非侵襲的生理学的モニタリング、特に、
複数の生理学的パラメータを収集すると同時に被検者に比較的自由な運動をさせる非侵襲的モニタリングから得られた信号を処理する分野に関する
（イ）「【０００４】
　センサとセンサシステムの最近の発達は、今や単一及び複数パラメータの生理学的モニタリングを診療所又は病院の管理された環境から出して、被検者が通常の活動に従事することができる制限のより少ない環境にますます進出させている。今やＭＰＭは、制限がほとんどないか又は全くない状態で被検者が通常の活動を行っている被検者の通常の環境で可能である。
「移動式モニタリング」は、当業技術でこのようなモニタリングが公知であるように、それによって仕事の活動を含む通常の日常活動中の生理学的パラメータのモニタリングが含まれ
（ウ）「【００４７】
　本発明は、被験者が制限されずに通常の日常の目覚めている及び眠っている時の活動を実行することができるように構成されたモニタリング・サブシステムに関する（本明細書では「移動式モニタリング・サブシステム」と称する）。好ましくは、モニタリング・サブシステムは、医師又は他の訓練された人間による支援のない被験者の使用のためにも構成される。例示的なモニタリング・サブシステム構成は、内部にセンサが組み込まれた衣服、バンド、布片などへ着用可能なものである。
【００４８】
　着用可能な例示的な
モニタリング・サブシステム
呼吸及び／又は心拍動活動、加速度計、ＥＣＧセンサ、温度センサなどに感応するサイズセンサを組み込むことができる
【００４９】
　図１Ｂは、２つ又はそれよりも多くのサイズセンサ１３、２つのリード線ＥＣＧ１５、及び加速度計、パルス酸素濃度計、ＣＯ２センサ、ＥＥＧ（及びＥＯＧ及びＥＭＧ）センサ、及び温度センサなどのような任意的な付加的なセンサを組み込んだシャツ１１を示している。サイズセンサは、好ましくは、少なくとも胸郭（ＲＣ）と腹部（ＡＢ）サイズに対して感応し、そのために１回換気量を２成分肺モデルに基づいて判断することができる。ローカルユニット１７は、信号をバッファに入れる、信号を再伝送する、ある一定の方法を実行する、及びユーザフィードバック及び対話を可能にするなどのための可搬式コンピュータである。」
エ　引用例３の記載事項
（ア）「This invention relates generally to techniques for analyzing pulmonary ventilation. More particularly, this invention relates to 
a portable pulmonary ventilation analysis device
（当審仮訳）
「本発明は、一般に、肺換気を分析するための技術に関する。より詳細には、本発明は、
携帯型肺換気分析装置
（イ）「An apparatus for assessing pulmonary ventilation includes data acquisition circuitry with a first transmission coil, a second transmission coil, a first receive coil, and a second receive coil to generate pulmonary ventilation data defining three degrees of motion of an ambulatory patient. A portable data processing unit worn by the patient is connected to the data acquisition circuitry and processes the pulmonary ventilation data to produce calculated parameters, such as breathing frequency, total pulmonary ventilation, inspiratory breathing time, expiratory breathing time, and changes in end-expiratory volume.
　The invention provides a compact, lightweight, low-power device that can be used to non-invasively measure the quantity of air an individual inhales and exhales. The compact, lightweight, low-power device of the invention allows pulmonary ventilation analyses to be performed in new contexts. In addition, due to its advantageous size, the device of the invention can analyze data representing three degrees of motion, while minimizing motion artifacts due to non-respiratory events, such as vibration of soft tissue that occurs while running or walking. 」（明細書第３頁第１４行〜第２８行）
（当審仮訳）
「肺換気を評価するための装置は、歩行患者の3自由度を規定する肺換気データを生成する第1の送信コイル、第2の送信コイル、第1の受信コイル、及び第2受信コイルでデータ取得回路を含んでいる。患者によって装着される携帯型のデータ処理部は、データ取得回路に接続されており、肺換気データを処理して、呼吸頻度(Breathing Frequency)、肺換気、吸息呼吸時、呼気、呼吸時、終端呼気体積変化等の計算されたパラメータを生成する。
　本発明は、吸入及び呼気のそれぞれの空気量を非侵襲的に測定するのに使用することができる小型で軽量、低電力装置を提供する。本発明の小型、軽量、低電力対応の装置は、肺換気分析を、新たなコンテキストで行うことができる。加えて、本発明の有利なサイズのために、本発明のデバイスは、3自由度を表すデータを分析することができ、ランニング又は歩行時に発生する軟組織の振動などの非呼吸イベントによる運動アーチファクトを最小化する。」
（ウ）「The digital band pass filters 34 are utilized to eliminate artifacts due to soft tissue motion. The filters are assigned to eliminate selected frequencies associated with soft tissue motion. This allows the elimination of most extraneous noise from the magnetometer signals. These clean signals are subsequently summed to provide a measure of tidal volume, even when the individual is performing ambulatory activities.
　The Finite Element Analysis module 36 executes finite element analyses on acquired data, resulting in noise reduction. The inclusion of Fourier analyses and band pass filtering in the software facilitates the use of the device 20 in ambulatory activities.」（明細書第５頁第１２行〜第１６行）
（当審仮訳）
「デジタルバンドパスフィルタ34は、軟組織の動きに起因するアーチファクトを除去するために利用される。フィルタは、軟組織の運動に関連する選択された周波数を除去するように割り当てられている。磁力計信号から多くの外来ノイズを排除することができる。これらのクリーン信号は、個人が歩行活動を行っている時でさえ、加算呼吸量の測定値を提供する。
　有限要素解析モジュール36は、取得したデータについて、有限要素解析を実行し、ノイズ低減することができる。ソフトウェアにフーリエ解析及びバンドパスフィルタを含むことにより、歩行活動における装置20の使用を容易にする。」
（エ）「Figure 3 illustrates 
the coils 60-63 attached to a patient 51
The first transmitter coil 60 (e.g., operating at 8.97 kHz) is positioned at the umbilicus of the patient 51. The first receive coil 61 is positioned at the same axial location, but on the back of the patient. The second receive coil 63 is positioned at the base of the sternum of the patient 51. The second transmission coil 62 (e.g., operating at 7 kHz) is located at the same axial position, but on the back of the patient 51. 
Preferably, the coils 60-63 are attached to the exterior chest wall and abdomen of the patient 51 using medical tape.
　Arrow 64 of Figure 3 illustrates the Xi or Xiphi -umbilical distance. Arrow 65 illustrates the rib cage-anteroposterior (RC-AP) distance, while arrow 66 illustrates the abdomen-anteroposterior (Ab-AP) distance. Thus, Figure 3 illustrates the three degrees of motion (Xi, RC-AP, Ab-AP) that are measured in accordance with the invention. 
As the patient breathes, the change in distance between the coils in each pair is sensed. This change in distance corresponds to a change in voltage that is a function of changes in the anteroposterior distance of both the rib cage (RC-AP) and the abdomen (Ab-AP). In addition, the axial displacement of the chest wall (Xiphi- umbilical distances: Xi) is measured and is a function of the distance between the two pairs of sensors. The volume of air inhaled and exhaled is determined using these signals. The breathing characteristics, which are derived from this data, include the volume of air inhaled and exhaled, breathing frequency, and changes in chest wall dimensions during breathing.
（当審仮訳）
「図3は、
患者51に取り付けられたコイル60-63
第1送信コイル60(例えば、8.97kHzで動作する)は、患者51の臍部に位置して
第1受信コイル61は、同一の軸方向位置でなく、患者の背中に配置されて
第2受信コイル63は、患者51の胸骨の基部に配置されて
第2送信コイル62(例えば、7kHzで動作)は、同一の軸方向位置でなく、患者51の背面に配置されて
好ましくは、コイル60-63は、医療用テープを用いて患者51の外部胸壁と腹部に取り付けられている
　図3の矢印64は、XiまたはXiphi-臍の距離を示している。矢印65は、胸郭前後(RC-AP)距離を示し、矢印66は、腹部前後(Ab-AP)距離を示している。このように、図3は、本発明に準拠して測定される運動(Xi, RC-AP, Ab-AP)の3自由度を示している。
患者が呼吸すると、各対のコイル間の距離の変化が感知される。この距離の変化は、胸郭(RC-AP)腹部(Ab-AP)の両方の前後距離の変化の関数である電圧の変化に対応して
さらに、胸壁の軸方向変位（Xiphi-臍の距離:Xi)が測定され、この変位は2対のセンサ間の距離の関数であ
吸入され吐き出される容量は、これらの信号を用いて決定され
このデータから導出される呼吸特性は
呼吸頻度(Breathing Frequency)
を含む
（オ）図３には、以下の図面が記載されている。
オ　引用例３に記載された技術
　上記エ（ア）〜（オ）の記載を総合すると、引用例３には次の技術が記載されていると認められる。
「携帯型肺換気分析装置であって、
　患者51に取り付けられたコイル60-63を有し、
　第1送信コイル60(例えば、8.97kHzで動作する)は、患者51の臍部に位置しており、第1受信コイル61は、同一の軸方向位置でなく、患者の背中に配置されており、第2受信コイル63は、患者51の胸骨の基部に配置されており、第2送信コイル62(例えば、7kHzで動作)は、同一の軸方向位置でなく、患者51の背面に配置されており、好ましくは、コイル60-63は、医療用テープを用いて患者51の外部胸壁と腹部に取り付けられているものであり、
　患者が呼吸すると、各対のコイル間の距離の変化が感知され、この距離の変化は、胸郭(RC-AP)腹部(Ab-AP)の両方の前後距離の変化の関数である電圧の変化に対応しており、さらに、胸壁の軸方向変位（Xiphi-臍の距離:Xi)が測定され、この変位は2対のセンサ間の距離の関数であり、吸入され吐き出される容量は、これらの信号を用いて決定され、このデータから導出される呼吸特性は、呼吸頻度(Breathing Frequency)を含むものである、
　携帯型肺換気分析装置。」
カ　引用例４の記載事項
（ア）「【０００１】
　本発明は、
生理的パラメータの移動性記録、特に心肺パラメータの誘導性体積変動記録からのデータ処理を改良するシステム
（イ）「【０００４】
　発話(speech)は、特に呼吸を移動性監視と混乱する可能性のある重要な活動である。発話状態の出現は、最も頻繁に見られる肉体的活動および挙動の一種であり、肺機能に加えて、種々の生理的系統を変化させる可能性がある。例えば、脈拍は、会話的発話によって、毎分５回から１０回増加するのが通例である。脈拍の増加は、社会的に要請がある状況では一段と高くなる可能性がある。マイクロフォンによる聴覚的記録が、発話活動を定量化するために用いられてきたが、監視対象の人の声以外にも、周囲の音や他の人の発話というような音も拾い上げるので、限界がある。咽喉マイクロフォン(throat microphone)の方が選択度が高いが、長時間装着することは不便であり、監視対象被験者が周囲の注目を引くので望ましくない。」
（ウ）「【００１９】
　センサをシャツの中に埋め込むのは、被験者の胴体に対するそれらの正確で持続性のある配置を確保するためである。
呼吸を測定するために
胸郭の高さにあるセンサ５、および腹部の高さにあるセンサ６
マイクロフォン、パルス酸素計
、カプノグラフ、１つ以上のＥＥＧ電極等を含
（エ）「【００２４】
　１つ以上の加速度計、パルス酸素計、および
マイクロフォンからの追加の信号は、呼吸信号と共に処理すると有利である
周囲の音響からの妨害を最少に抑えて被験者の発声を捕獲するために装着する頚部マイクロフォン
のようなマイクロフォンを用いると、発話の有無を判定することができ、咳、嘆息、およびその他の呼吸事象を判別する際に役立てることができる
５．２．２  入力信号のディジタル化
　信号処理における最初のステップは、信号のディジタル化２５およびフィルタ処理２７である。以下の説明は、好ましい一連のステップに従っており、２５においてアナログ・ドメイン信号を最初にディジタル化し、次いで２７において公知のディジタル・フィルタリング技法にしたがってディジタル化した信号をフィルタ処理する。余り好ましくはないが、信号を全体的にアナログ・ドメインでフィルタ処理し、次いでディジタル化してもよい。しかしながら、好ましい一連のステップにおいてでさえ、ディジタル化するアナログ信号がサンプリング・レートの半分よりも大きい周波数の成分を有さない（ナイキスト条件）ように、予備的な明示または暗示アナログ・フィルタ処理ステップを実行することは理解されよう。」
キ　上記カ（ア）〜（エ）の記載を総合すると、引用例４には次の技術が記載されていると認められる。
「生理的パラメータの移動性記録、特に心肺パラメータの誘導性体積変動記録からのデータ処理を改良するシステムであって、
　呼吸を測定するために、胸郭の高さにあるセンサ５、および腹部の高さにあるセンサ６を有し、
　さらに、マイクロフォン、パルス酸素計、カプノグラフ、１つ以上のＥＥＧ電極等を含み、マイクロフォンからの追加の信号は、呼吸信号と共に処理すると有利であり、周囲の音響からの妨害を最少に抑えて被験者の発声を捕獲するために装着する頚部マイクロフォンのようなマイクロフォンを用いると、発話の有無を判定することができ、咳、嘆息、およびその他の呼吸事象を判別する際に役立てることができるものである、
　システム。」
（３）対比 
ア　本件補正発明と引用発明１とを対比する。
（ア）引用発明１の「運動中」の「特定トレーニーＴ」は、本件補正発明の「身体活動に従事する被験者」に相当する。
　したがって、引用発明１における「運動中のトレーニーＴの呼吸数、心拍数、血圧値、心筋電圧のごとき生理的変動量を計測」する「メディカル・オートフィットネス・システム」と、本件補正発明の「身体活動に従事する被験者をモニタリングするためのフィットネスモニタリングシステム」とは、「身体活動に従事する被験者を計測するためのフィットネス計測システム」という点で共通する。ここで、本件補正発明の「モニタリング」は、計測を継続して被験者を監視することを含むものと認めた。
（イ）引用発明１の「電子呼吸計測器４2」は、「横隔膜の位置する胸部に取り付け」られた「圧電センサー」によって「呼吸数」に関するシグナルを生成するものであり、このシグナルを「電子計測器４」の「電子信号として検出」するための手段に送信する構成を含むことは明らかである。
　したがって、引用発明１の当該「電子呼吸計測器４2」と、本件補正発明１の「音声センサ、第１センサおよび第２センサを含むセンササブシステムであって、該第１および第２センサは、その間の距離の変化に反応し、該センササブシステムは、該第１および第２センサの間の距離を示す距離シグナルを生成および送信するように構成された、センササブシステムであって、胸郭の変位、腹部の変位および胸壁の高さの変位を決定するセンササブシステム」とは、「センサであって、シグナルを生成及び送信するように構成されたセンサ」という点で共通する。
（ウ）引用発明１の「電子心拍・血圧計４1」は、「特定トレーニーＴ」の「上膊部に巻き付けて心拍数と血圧を測定する」ものであり、「心拍数」と「血圧」を示す生理学的シグナルを生成し、このシグナルを「電子計測器４」の「電子信号として検出」するための手段に送信する構成を含むものであることは明らかであるから、引用発明１の当該「電子心拍・血圧計４1」は、本件補正発明の「被験者の生理学的パラメータを示す生理学的シグナルを生成および送信するように構成された生理学的センサ」に相当するといえる。
（エ）引用発明１の「電子測定器４」が、「電子心拍・血圧計４1」、「電子呼吸計測器４2」及び「電子マイクロ心電計４3」で測定された「呼吸数、心拍数、血圧値、心筋電圧」を示す各信号を「電子信号として検出」するものであること、及び、上記（２）ア（オ）の図面の記載を参酌すれば、引用発明１の当該「電子測定器４」は、「電子心拍・血圧計４1」、「電子呼吸計測器４2」及び「電子マイクロ心電計４3」のそれぞれと接続する手段、すなわち複数の測定器を接続するサブシステムを有することが明らかである。
　そして、引用発明１の当該「電子測定器４」は、「電子心拍・血圧計４1」、「電子呼吸計測器４2」及び「電子マイクロ心電計４3」で測定された「呼吸数、心拍数、血圧値、心筋電圧」を示す各信号を「電子信号として検出」し、これを「ＬＡＮを介し制御コンピュータ５に送信」するものであるから、当該「電子測定器４」が、「電子心拍・血圧計４1」、「電子呼吸計測器４2」及び「電子マイクロ心電計４3」からの信号を「検出」及び「送信」するための処理手段、すなわちプロセッサを備えていることも明らかである。
　したがって、引用発明１の当該「電子測定器４」と、本件補正発明の「該センササブシステムおよび該生理学的センサと接続し、音声シグナル、距離シグナルおよび生理学的シグナルを受信するように構成されたプロセッササブシステム」とは、「該センサおよび該生理学的センサと接続し、シグナルおよび生理学的シグナルを受信するように構成されたプロセッササブシステム」という点で共通する。
イ　以上のことから、本件補正発明と引用発明１との一致点及び相違点は次のとおりである。
＜一致点＞
「身体活動に従事する被験者を計測するためのフィットネス計測システムであって：
　センサであって、シグナルを生成及び送信するように構成されたセンサと；
　被験者の生理学的パラメータを示す生理学的シグナルを生成および送信するように構成された生理学的センサと；
　該センサおよび該生理学的センサと接続し、シグナルおよび生理学的シグナルを受信するように構成されたプロセッササブシステムと、
　を含む、フィットネス計測システム。」
＜相違点１＞
　「被験者を計測するためのフィットネス計測システム」について、本件補正発明は、被験者を「モニタリング」するシステムであるのに対して、引用発明はそのような構成を有するかどうか不明である点。
＜相違点２＞
　「シグナルを生成及び送信するように構成されたセンサ」について、本件補正発明は、「音声センサ」と「第１センサおよび第２センサ」を含み、「該第１および第２センサ」は「その間の距離の変化に反応」し、「該第１および第２センサの間の距離を示す距離シグナル」を生成および送信し、「胸郭の変位、腹部の変位および胸壁の高さの変位を決定する」ものであり、これらが「センササブシステム」として構成されているのに対して、引用発明１は、そのような構成を有しない点。
＜相違点３＞
　「該センサおよび該生理学的センサと接続し、シグナルおよび生理学的シグナルを受信する」「プロセッササブシステム」について、本件補正発明は、「センササブシステム」と接続して「音声シグナル、距離シグナル」を受信するものであるのに対して、引用発明１は、そのような構成を有しない点。
＜相違点４＞
　「プロセッササブシステム」について、本件補正発明は、「生理学的シグナルを処理して被験者の生理学的パラメータを示すシグナルを得る」ものであるのに対して、引用発明１は、そのような構成を有するかどうか不明である点。
（４）判断
　上記相違点１〜４について検討する。
ア　相違点１について
（ア）引用発明１は、「フィットネス機器３による運動中にトレーニーＴの血圧や心筋電圧などに異常が生じたときには電子測定器４が血圧値、心筋電圧値、心拍数値の変化を即時に検出し制御コンピュータ５に送致して、駆動中のフィットネス機器３を直ちに停止するとともに、パイロットランプＰを点滅させて係員に報知するもの」であって、電子測定器４によるトレーニーＴの血圧値、心筋電圧値、心拍数値の計測及び被験者の監視が、継続して行われる必要があること、すなわち「モニタリング」する必要があることが明らかであるから、上記相違点１は実質的な相違点ではない。
　また、仮に相違点であるとしても、運動中の被験者の状態を複数のセンサで継続して測定し、監視すること、すなわち「モニタリング」することは、本願優先日前の慣用技術であるから（例えば引用例２の上記（２）ウを参照。）、引用発明１において、当該慣用技術に倣い、トレーニーＴの状態を電子測定器４で継続して測定し、監視すること、すなわち「モニタリング」することは、当業者が適宜為し得たことといえる。
（イ）したがって、上記相違点１は実質的な相違点でないか、仮に相違点であるとしても、引用発明１において当該相違点１の構成を採用することは、当業者が容易に想到し得たことである。
イ　相違点２及び相違点３について
（ア）呼吸特性を測定するシステムとして、第１センサおよび第２センサを含み、該第１および第２センサはその間の距離の変化に反応し、該第１および第２センサの間の距離を示す距離シグナルを生成および送信し、胸郭の変位、腹部の変位および胸壁の高さの変位を決定するシステムは、引用例３の上記（２）エに記載され、上記（２）オで認定したとおり、本願優先日前によく知られた技術である。
（イ）引用発明１と引用例３に記載された技術は、いずれも、身体活動に従事する被験者の呼吸特性を測定するためのものであって、被験者に取り付けられ、呼吸数や呼吸頻度といった呼吸のカウントを行う点で共通するから、引用発明１において、被験者の呼吸数を測定するために、「電子呼吸計測器４2」として引用例３に記載された技術を採用し、「第１センサおよび第２センサ」を含み、「該第１および第２センサ」は「その間の距離の変化に反応」し、「該第１および第２センサの間の距離を示す距離シグナル」を生成および送信し、「胸郭の変位、腹部の変位および胸壁の高さの変位を決定する」ように構成することは、当業者が容易に想到し得たことである。
（ウ）また、呼吸特性を測定するにあたり、咳、嘆息、およびその他の呼吸事象を判別するために、音声シグナルを生成する音声センサを付加することは、引用例４の上記（２）カに記載され、上記（２）キで認定したとおり、本願優先日前によく知られた技術である。
（エ）引用発明１と引用例４に記載された技術は、いずれも、身体活動に従事する被験者の呼吸特性を測定するためのものであって、呼吸特性を測定するセンサを含む複数のセンサを被験者に取り付けて測定を行う点で共通するから、引用発明１において、被験者の呼吸特性を正確に計測するために、引用例４に記載された技術を採用し、「音声センサ」を付加することは、当業者が容易に想到し得たことである。
（オ）したがって、引用発明１において、引用例３及び４に記載された技術をそれぞれ採用し、「第１および第２センサ」と「音声センサ」からなるシステム、すなわち「センササブシステム」として構成することは、当業者が容易に想到し得たことである。ここで、引用発明１は、「電子計測器４」において各計測器からの信号を検出するものであるから、引用発明１において、当該「センササブシステム」で取得することとなる「音声シグナル」及び「距離シグナル」を、「電子計測器４」における信号の検出部、すなわち「プロセッササブシステム」で受信することは、当業者が適宜為し得たことである
（カ）上記（ア）〜（オ）のとおりであるから、引用発明１において、引用例３及び４に記載された技術を採用し、上記相違点２及び３の構成とすることは、当業者が容易に想到し得たことである。
エ　相違点４について
（ア）引用発明１の「電子心拍・血圧計４1」を含む「電子計測器４」は、「電子心拍・血圧計４1」の信号に基づいて「心拍数」及び「血圧値」を計測するためのものであるから、引用発明１において、当該「電子心拍・血圧計４1」において検出した信号、すなわち「生理学的シグナル」を、「電子計測器４」で処理して「心拍数」及び「血圧値」とすること、すなわち「生理学的シグナルを処理して被験者の生理学的パラメータを示すシグナルを得る」ように「プロセッササブシステム」を構成することは、当業者が容易に想到し得たことである。
（イ）したがって、引用発明１において、上記相違点４の構成とすることは、当業者が容易に想到し得たことである。
（５）本件補正発明の効果について 
　そして、本件補正発明の効果は、引用発明１及び引用例２〜４に記載の技術から当業者が予測し得る程度のものであって格別なものではない。
（６）審判請求書の主張について
ア　請求人は、平成２７年１２月２４日に提出された審判請求書において、
「(2)　本補正により、本願発明１〜２６のフィットネスモニタリングシステムは『胸郭の変位、腹部の変位および胸壁の高さの変位を決定し、これらの変位の１以上を２対より多い複数対の電流コイルで決定する』ことに限定され、また、本願発明２７〜３８の被験者をモニタリングするための方法は『胸郭の変位、腹部の変位および胸壁の高さ変位を決定し、これらの変位の１以上を２対より多い複数対の電流コイルで決定する工程』を有することに限定された。 
　本願発明のフィットネスモニタリングシステムおよび被験者をモニタリングするための方法は、胸郭の変位等の変位を複数対の電流コイルで決定することによって、胸壁の動き、ひいては呼吸活性および呼吸に関連する事象に関連する利用可能なデータおよび情報を有意に強化し、また、追加のデータおよび情報はまた、換気力学、例えば胸壁の区画における同期運動および非同期運動の評価および定量化を容易にすることができる（本件明細書・［０１１８］）。 
　しかしながら、引用文献１〜７には、そもそも、『胸郭の変位、腹部の変位および胸壁の軸方向の変位を決定する』構成が記載されていない。 
　これに対して、拒絶理由通知では、引用文献８には、『胸壁の軸方向の変位』の開示がある旨指摘している。 
　しかしながら、引用文献８を含む引用文献１〜８のいずれにも『胸郭の変位、腹部の変位および胸壁の高さ方向の変位を決定し、これらの変位の１以上を２対より多い複数対の電流コイルで決定する』構成の開示がない。」
　と主張している。
　しかしながら、当該主張は、平成２７年８月１７日付けで却下の決定がなされた平成２７年３月１３日付けの手続補正に基づく主張であって、本件補正発明に基づくものではないため、採用できない。
イ　仮に「胸郭の変位、腹部の変位および胸壁の高さ変位を決定し、これらの変位の１以上を２対より多い複数対の電流コイルで決定する」ことが請求項１で特定されていたとした場合についても、一応検討する。
　引用例３の上記第（２）エ（エ）には、「第2受信コイル63が第1の送信コイル60及び第2送信コイル62の両方からの信号を処理することで、3自由度モデルを用いて体積を計算するために必要なコイルの数が6から4に減少する。このことは、個々に取り付けられる器具を簡略化し、1つの送信コイルが不要となることにより、電力消費量が減少する。」と記載されており、必要なコイル数が６から４に減少すること、すなわち３対から２対に減少することが示されている。この記載は、３対のコイルを使用することが従来技術であったことを示唆するものであるから、引用発明１において、引用例３の当該記載に基づいて、３対のコイルを使用する従来技術を採用し、「１以上を２対より多い複数対の電流コイル」で「変位」を計測し、呼吸特性を測定することは、当業者が容易に想到し得たことである。
　したがって、「胸郭の変位、腹部の変位および胸壁の高さ変位を決定し、これらの変位の１以上を２対より多い複数対の電流コイルで決定する」ことが請求項１で特定されていたとしても、進歩性を認めることができないことに変わりはない。
（７）小括 
　以上のとおりであるから、本件補正発明は、引用発明１及び引用例２〜４に記載の技術に基づいて当業者が容易に発明をすることができたものであり、特許法第２９条第２項の規定により特許を受けることができない。 
　したがって、本件補正発明は、特許出願の際、独立して特許を受けることができないものであるから、本件補正は、特許法第１７条の２第６項において読み替えて準用する同法第１２６条第７項の規定に違反する。
３　補正の却下の決定のむすび  
　上記１のアで検討したとおり、本件補正は、特許法第１７条の２第５項に規定する要件を満たしていないものであるから、同法第１５９条第１項の規定において読み替えて準用する同法第５３条第１項の規定により却下されるべきものである。
　さらに、上記２で検討したとおり、仮に本件補正を限定的減縮として独立特許要件を判断しても、本件補正は、特許法第１７条の２第６項において準用する同法第１２６条第７項の規定に違反するものであるから、同法第１５９条第１項で読み替えて準用する第５３条第１項の規定により却下されるべきものである。 
　よって、上記補正却下の決定の結論のとおり決定する。 
第３　本願発明について  
１　本願発明  
　本件補正は、上記のとおり却下されたので、本願の請求項に係る発明は、平成２６年７月１０日に提出された手続補正書により補正された特許請求の範囲の請求項１〜３８に記載された事項により特定されるものであって、そのうち請求項１に係る発明は、上記第２の１（１）アにおいて摘示したとおりのものである。（以下、請求項１に係る発明を「本願発明」という。） 　  
  
２　引用例の記載事項及び引用例に記載された発明
　原査定で引用された引用例１〜３に記載の事項、並びに引用発明１及び引用例３に記載の技術は、上記第２の２（２）ア〜オにおいて説示し、認定したとおりである。
３　本願発明と引用発明１との対比・判断
　本願発明は、上記第２の２で検討した本件補正発明から、「音声センサ」及び「音声シグナル」に係る限定事項を削除したものである。
　そうすると、本願発明と引用発明１との相違点は、前記第２の２（３）イで示した＜相違点１＞、＜相違点２＞と＜相違点３＞のうち「音声センサ」と「音声シグナル」を除いた点、及び＜相違点４＞であって、当該相違点についての判断は、前記第２の２（４）ア、イ（ア）〜（イ）、及びエで検討したとおりである。
　したがって、本願発明は、引用発明１及び引用例２〜３に記載された技術に基づいて、当業者が容易に発明をすることができたものである。
４　むすび
　以上のとおり、本願発明は、引用発明１及び引用例２〜３に記載の技術に基づいて、当業者が容易に発明をすることができたものであり、特許法第２９条第２項の規定により特許を受けることができないから、他の請求項に係る発明について検討するまでもなく、本願は拒絶されるべきものである。
　よって、上記結論のとおり審決する。